(57)【要約】本発明は、物理下りリンク制御チャネル（ＰＤＣＣＨ）品質予測を行う必要のあるターゲット・ユーザ装置（ＵＥ）を決定し、ターゲットＵＥの報告情報を受信することと、報告情報によりターゲットＵＥの予測指標を決定し、但し、前記予測指標が制御チャネルの信号対干渉及び雑音比（ＳＩＮＲ）又は制御チャネルの等価受信レベル（ＲＰＰＤＣＣＨ）であることと、ＳＩＮＲ又はＲＰＰＤＣＣＨによりターゲットＵＥのＰＤＣＣＨ品質を決定することとを含むロング・ターム・エボリューション・システムの物理下りリンク制御チャネル品質の予測方法及び装置を提供する。本発明によると、測定やシグナリングを増加せずに、ＬＴＥユーザに正確で、能率的な制御チャネル品質予測を提供でき、基地局（ｅＮｏｄｅＢ）の制御チャネル・エレメント（ＣＣＥ）・リソース及びパワー割当アルゴリズムに迅速で、正確な位置決めの依拠を提供することができる。【選択図】図２
2015512594.tif 000002
【特許請求の範囲】
【請求項１】
物理下りリンク制御チャネルＰＤＣＣＨ品質予測を行う必要のあるターゲット・ユーザ装置ＵＥを決定し、ターゲットＵＥの報告情報を受信することと、
前記報告情報により前記ターゲットＵＥの予測指標を決定し、但し、前記予測指標が制御チャネルの信号対干渉及び雑音比（ＳＩＮＲ）又は制御チャネルの等価受信レベルＲＰＰＤＣＣＨであることと、
前記ＳＩＮＲ又は前記ＲＰＰＤＣＣＨにより前記ターゲットＵＥのＰＤＣＣＨ品質を決定することと、
を含むロング・ターム・エボリューション・システムの物理下りリンク制御チャネル品質の予測方法
【請求項２】
物理下りリンク制御チャネルＰＤＣＣＨ品質予測を行う必要のあるターゲット・ユーザ装置ＵＥを決定し、ターゲットＵＥの報告情報を受信することは、
ターゲット・セルの中から前記ターゲットＵＥをロックし、前記ターゲットＵＥが報告した、測定して得られた前記報告情報を受信し、但し、前記報告情報が複数のセルの基準信号受信パワーＲＳＲＰを含む請求項１に記載の方法。
【請求項３】
前記報告情報により前記ターゲットＵＥの制御チャネルの信号対干渉及び雑音比（ＳＩＮＲ）を決定することは、
前記複数のセルのＲＳＲＰを、サービス・セルのＲＳＲＰ測定ＲＳＲＰＳと、セル基準信号Ｃｅｌｌ  ＲＳが占めるリソース・エレメントＲＥのパターンが前記ターゲット・セルと全く同様な同周波数干渉隣接セルであるＸタイプ同周波数干渉隣接セルのＲＳＲＰ測定ＲＳＲＰＸと、セル基準信号Ｃｅｌｌ  ＲＳが占めるリソース・エレメントＲＥのパターンが前記ターゲット・セルと全く異なる同周波数干渉隣接セルであるＹタイプ同周波数干渉隣接セルのＲＳＲＰ測定ＲＳＲＰＹとに区画することと、
Ｃｅｌｌ  ＲＳに対する前記ターゲットＵＥのＰＤＣＣＨの実際パワー・シフトＫＳ、Ｃｅｌｌ  ＲＳに対するＸタイプ同周波数干渉隣接セルＰＤＣＣＨの平均パワー・シフトＫＸ、Ｃｅｌｌ  ＲＳに対するＹタイプ同周波数干渉隣接セルＰＤＣＣＨの平均パワー・シフトＫＹを決定することと、
【数１】
2015512594.tif 000017
により前記ＳＩＮＲを決定することとを含み、
但し、αはＹタイプ同周波数干渉隣接セルの制御チャネル領域に位置する全ての干渉源ＲＥにおけるＣｅｌｌ  ＲＳがＲＥに占める比率で、Ｎは付加的ホワイト・ノイズで、ＬｏａｄＣＣＨは干渉の強い隣接セルの制御チャネルの平均負荷で、ＫＣＣＥ  は異なる重合度の復調性能により調整する重合度補償因子である請求項２に記載の方法。
【請求項４】
Ｃｅｌｌ  ＲＳに対するＸタイプ同周波数干渉隣接セルＰＤＣＣＨの平均パワー・シフトを決定することは、隣接セルＰＤＣＣＨパワー割当アルゴリズムにより半静的にＫＸを算出することを含み、
Ｃｅｌｌ  ＲＳに対するＹタイプ同周波数干渉隣接セルＰＤＣＣＨの平均パワー・シフトを決定することは、隣接セルＰＤＣＣＨパワー割当アルゴリズムにより半静的にＫＹを算出することを含む請求項３に記載の方法。
【請求項５】
ＳＩＮＲを決定する過程においてαの値を決定することは、
隣接セルのアンテナ・ポート配置情報と物理制御フォーマット・インデックス・チャネルＰＣＦＩＣＨによって指示された制御フォーマット・インデックスＣＦＩ情報により、αの値を決定することを含む請求項３に記載の方法。
【請求項６】
αの値は、
【数２】
2015512594.tif 000018
を含む請求項４に記載の方法。
【請求項７】
前記ＳＩＮＲを決定する過程においてＬｏａｄＣＣＨの値を決定することは、
隣接セルＰＤＣＣＨ負荷制御アルゴリズムにより前記ＬｏａｄＣＣＨを決定することを含む請求項３に記載の方法。
【請求項８】
前記報告情報により前記ターゲットＵＥの制御チャネル等価受信レベルＲＰＰＤＣＣＨを決定することは、
【数３】
2015512594.tif 000019
により、前記ＲＰＰＤＣＣＨ決定することを含み、
但し、ＲＳＲＰＳはサービス・セルのＲＳＲＰ測定で、ＫｓはＣｅｌｌ  ＲＳに対する前記ターゲットＵＥのＰＤＣＣＨの実際パワー・シフトで、ＫＣＣＥは異なる重合度の復調性能により調整する重合度補償因子である請求項２に記載の方法。
【請求項９】
Ｃｅｌｌ  ＲＳに対する前記ターゲットＵＥのＰＤＣＣＨの実際パワー・シフトＫｓを決定することは、
それぞれのＲＳＲＰ報告周期を観察ウィンドウとして、前記ターゲットＵＥに対応する下りスケジューリング・サブ・フレーム又は上がり許可サブ・フレームを取得することと、
前記下りスケジューリング・サブ・フレーム又は上がり許可サブ・フレームによりＰＤＣＣＨパワー割当結果を取得し記録することと、
前記ターゲットＵＥの重合度が観察ウィンドウにおいて変更があるか否かを判定し、変更がない場合、ＰＤＣＣＨパワー割当結果の平均値により前記Ｋｓを算出し、変更がある場合、前記ターゲットＵＥの最終に更新された重合度の使用するパワーにより前記Ｋｓを算出することとを含む請求項３又は８に記載の方法。
【請求項１０】
ＫＣＣＥの値を決定することは、
各ＲＳＲＰ報告周期内にサービス・セルが前記ターゲットＵＥへ割当てたＣＣＥ重合度が変更があるか否かを判定し、変更がある場合、最終に更新されたＣＣＥ重合度をＫＣＣＥとし、変更がない場合、サービス・セルの割当てたＣＣＥ重合度によりＫＣＣＥの値を選択することを含む請求項３又は８に記載の方法。
【請求項１１】
ＫＣＣＥの値は、
【数４】
2015512594.tif 000020
を含む請求項１０に記載の方法。
【請求項１２】
物理下りリンク制御チャネルＰＤＣＣＨ品質予測を行う必要のあるターゲット・ユーザ装置ＵＥを決定し、前記ターゲットＵＥの報告情報を受信する決定受信モジュールと、
前記報告情報により前記ターゲットＵＥの予測指標を決定し、但し、前記予測指標が制御チャネルの信号対干渉及び雑音比ＳＩＮＲ又は制御チャネルの等価受信レベルＲＰＰＤＣＣＨである第１の決定モジュールと、
前記ＳＩＮＲ又は前記ＲＰＰＤＣＣＨにより前記ターゲットＵＥのＰＤＣＣＨ品質を決定する第２の決定モジュールとを含むロング・ターム・エボリューション・システムの物理下りリンク制御チャネル品質の予測装置。
【請求項１３】
決定受信モジュールは、
ターゲット・セルの中から前記ターゲットＵＥをロックして、前記ターゲットＵＥが報告した、測定して得られた前記報告情報を受信するロック受信ユニットを含み、但し、前記報告情報が複数のセルの基準信号受信パワーＲＳＲＰを含む請求項１２に記載の装置。
【請求項１４】
第１の決定モジュールは、
前記複数セルのＲＳＲＰを、サービス・セルのＲＳＲＰ測定ＲＳＲＰＳと、セル基準信号Ｃｅｌｌ  ＲＳが占めるリソース・エレメントＲＥのパターンがターゲット・セルと全く同様な同周波数干渉隣接セルであるＸタイプ同周波数干渉隣接セルのＲＳＲＰ測定ＲＳＲＰＸと、セル基準信号Ｃｅｌｌ  ＲＳが占めるリソース・エレメントＲＥのパターンがターゲット・セルと全く異なる同周波数干渉隣接セルであるＹタイプ同周波数干渉隣接セルのＲＳＲＰ測定ＲＳＲＰＹとに区画する区画ユニットと、
Ｃｅｌｌ  ＲＳに対する前記ターゲットＵＥのＰＤＣＣＨの実際パワー・シフトＫＳ、Ｃｅｌｌ  ＲＳに対するＸタイプ同周波数干渉隣接セルＰＤＣＣＨの平均パワー・シフトＫＸ、Ｃｅｌｌ  ＲＳに対するＹタイプ同周波数干渉隣接セルＰＤＣＣＨの平均パワー・シフトＫＹを決定する第１の決定ユニットと、
【数５】
2015512594.tif 000021
により前記ＳＩＮＲを決定する第２の決定モジュールとを含み、
但し、αはＹタイプ同周波数干渉隣接セルの制御チャネル領域に位置する全ての干渉源ＲＥにおけるＣｅｌｌ  ＲＳがＲＥに占める比率で、Ｎは付加的ホワイト・ノイズで、ＬｏａｄＣＣＨ干渉の強い隣接セルの制御チャネルの平均負荷で、ＫＣＣＥは異なる重合度の復調性能により調整する重合度補償因子である請求項１３に記載の装置。
【請求項１５】
前記第１の決定モジュールは、
【数６】
2015512594.tif 000022
により、前記ＲＰＰＤＣＣＨ決定する第３の決定ユニットを含み、
但し、ＲＳＲＰＳはサービス・セルのＲＳＲＰ測定で、ＫＳはＣｅｌｌ  ＲＳに対するターゲットＵＥのＰＤＣＣＨの実際パワー・シフトで、ＫＣＣＥは異なる重合度の復調性能により調整する重合度補償因子である請求項１３に記載の装置。
【発明の詳細な説明】
【技術分野】
【０００１】
本発明は通信分野に関し、具体的には、ロング・ターム・エボリューション・システムの物理下りリンク制御チャネル品質の測定方法及び装置に関する。
【背景技術】
【０００２】
物理下りリンク制御チャネル（Ｐｈｙｓｉｃａｌ  Ｄｏｗｎｌｉｎｋ  Ｃｈａｎｎｅｌ、ＰＤＣＣＨと略称する。）は、第三世代パートナーシップ・プロジェクト（Ｔｈｉｒｄ  Ｇｅｎｅｒａｔｉｏｎ  Ｐａｒｔｎｅｒｓｈｉｐ  Ｐｒｏｊｅｃｔ、３ＧＰＰと略称する。）のロング・ターム・エボリューション（Ｌｏｎｇ  Ｔｅｒｍ  Ｅｖｏｌｕｔｉｏｎ、ＬＴＥと略称する。）ＬＴＥとロング・ターム・エボリューション−アドバンス（ＬＯＮＧ  Ｔｅｒｍ  Ｅｖｏｌｕｔｉｏｎ−Ａｄｖａｎｃｅ、ＬＴＥ−Ａと略称する。）基準における重要な物理チャネルである。下り制御シグナリングは、ＰＤＣＣＨに搭載され、各下りサブ・フレームの前からのＮ個の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略称する。）符号に位置する（Ｎ≦４）。
【０００３】
下り制御シグナリングは、１、下り伝送フォーマット（Ｄｏｗｎｌｉｎｋ  Ｔｒａｎｓｐｏｒｔ  Ｆｏｒｍａｔ、ＤＴＦと略称する。）、下り共有チャネル（Ｄｏｗｎｌｉｎｋ  Ｓｈａｒｅｄ  Ｃｈａｎｎｅｌ、ＤＬ−ＳＣＨと略称する。）、ページング・チャネルの２つの伝送チャネルの物理リソース割当結果、ＤＬ−ＳＣＨに関するハイブリッド自動再送要求（Ｈｙｂｒｉｄ−Ａｕｔｏ  Ｒｅｔｒａｎｓｍｉｓｓｉｏｎ  Ｑｕｅｓｔ、ＨＡＲＱと略称する。）情報、および２、上がり伝送フォーマット（Ｕｐｌｉｎｋ  Ｔｒａｎｓｐｏｒｔ  Ｆｏｒｍａｔ、ＵＴＦと略称する。）、上がり共有チャネル（Ｕｐｌｉｎｋ  Ｓｈａｒｅｄ  Ｃｈａｎｎｅｌ、ＵＬ−ＳＣＨと略称する。）の物理リソース割当結果、ＵＬ−ＳＣＨに関するＨＡＲＱ情報という２つの部分の内容を含む。
【０００４】
現在の下りサブ・フレームにおいて、スケジューリングされたＵＥのそれぞれが１つ又は複数のＰＤＣＣＨを同時に測定することができる。それぞれのＰＤＣＣＨコーディング能率は、各制御チャネル・エレメント（Ｃｏｎｔｒｏｌ  Ｃｈａｎｎｅｌ  Ｅｌｅｍｅｎｔ、ＣＣＥと略称する。）の重合度と下り制御情報（Ｄｏｗｎｌｉｎｋ  Ｃｏｎｔｒｏｌ  Ｉｎｆｏｒｍａｔｉｏｎ、ＤＣＩと略称する。）のフォーマットにより決定される。各制御チャネルがある所定の無線ネットワーク臨時識別子（ｘ  Ｒａｄｉｏ  Ｎｅｔｗｏｒｋ  Ｔｅｍｐｏｒａｒｙ  Ｉｄｅｎｔｉｆｉｅｒ、ｘ−ＲＮＴＩと略称する。）に対応し、ｘ−ＲＮＴＩは高層シグナリングにより予めユーザ装置（Ｕｓｅｒ  Ｅｑｕｉｐｍｅｎｔ、ＵＥと略称する。）に配置される。
【０００５】
ＰＤＣＣＨ負荷量及びパワー割当方法は、装置の無線リソース管理アルゴリズムによって決められ、同じサブ・フレームにおける物理下り共有チャネル（Ｐｈｙｓｉｃａｌ  Ｄｏｗｎｌｉｎｋ  Ｓｈａｒｅｄ  Ｃｈａｎｎｅｌ、ＰＤＳＣＨと略称する。）の負荷量及びパワー割当方法と必然的なつながりがない。通常の場合、ＰＤＳＣＨが適切な媒体アクセス層（Ｍｅｄｉａ  Ａｃｃｅｓｓ  Ｃｏｎｔｒｏｌ、ＭＡＣと略称する。）アルゴリズムにより、１００％のリソース利用率が実現できるため、ＰＤＳＣＨが位置するＯＦＤＭ符号領域の隣接セルの干渉レベルが割と安定している。しかし、制御チャネルが通常に非全負荷状態で運行し、且つＰＤＣＣＨマッピング・パターンはサブ・フレームとともにホッピングし、またＰＤＣＣＨパワー割当アルゴリズムが様々あるので、制御チャネル領域の隣接セルの干渉波動が激しくなっている。従って、ＰＤＣＣＨとＰＤＳＣＨが同様なチャネル・フェージングを経験した（或いはチャネルの関連時間は単位サブ・フレームの時間長より大きい。）とされても、ＰＤＣＣＨのチャネル品質予測をＰＤＳＣＨから区別する必要がある。
【０００６】
しかし、現在の既存技術において、ＰＤＣＣＨのチャネル品質測定について、関連プロトコルには、正確且つ能率的な制御チャネル品質の予測方法が規定されず、基地局（ｅＮｏｄｅＢ）の制御チャネル・エレメント・リソース及びパワー割当アルゴリズムに高速で正確的な位置決の依拠を提供することができない。
【発明の概要】
【発明が解決しようとする課題】
【０００７】
本発明は、少なくとも上記問題を解決するために、ロング・ターム・エボリューション・システムの物理下りリンク制御チャネル品質予測の方法及び装置を提供する。
【課題を解決するための手段】
【０００８】
本発明の一方面によると、物理下りリンク制御チャネル（ＰＤＣＣＨ）品質予測を行う必要のあるターゲット・ユーザ装置（ＵＥ）を決定し、ターゲットＵＥの報告情報を受信することと、報告情報によりターゲットＵＥの予測指標を決定し、但し、前記予測指標がチャネルの信号対干渉及び雑音比（ＳＩＮＲ）又は制御チャネルの等価受信レベル（ＲＰＰＤＣＣＨ）であることと、ＳＩＮＲ又はＲＰＰＤＣＣＨによりターゲットＵＥのＰＤＣＣＨ品質を決定することとを含むロング・ターム・エボリューション・システムの物理下りリンク制御チャネル品質の予測方法を提供する。
【０００９】
物理下りリンク制御チャネル品質予測を行う必要のあるターゲット・ユーザ装置（ＵＥ）を決定し、ターゲットＵＥの報告情報を受信することは、ターゲット・セルの中からターゲットＵＥをロックし、ターゲットＵＥが報告した、測定して得られた報告情報を受信し、但し、前記報告情報が複数のセルの基準信号受信パワー（ＲＳＲＰ）を含むことを含むことが好ましい。
【００１０】
報告情報によりターゲットＵＥの制御チャネル信号対干渉及び雑音比（ＳＩＮＲ）を決定することは、複数のセルのＲＳＲＰを、サービス・セルのＲＳＲＰ測定ＲＳＲＰＳと、セル基準信号（Ｃｅｌｌ  ＲＳ）が占めるリソース・エレメントＲＥのパターンがターゲット・セルと全く同様な同周波数干渉隣接セルであるＸタイプ同周波数干渉隣接セルのＲＳＲＰ測定ＲＳＲＰＸと、セル基準信号（Ｃｅｌｌ  ＲＳ）が占めるリソース・エレメントＲＥのパターンがターゲット・セルと全く異なる同周波数干渉隣接セルであるＹタイプ同周波数干渉隣接セルのＲＳＲＰ測定ＲＳＲＰＹとに区画することと、Ｃｅｌｌ  ＲＳに対するターゲットＵＥのＰＤＣＣＨの実際パワー・シフトＫＳ、Ｃｅｌｌ  ＲＳに対するＸタイプ同周波数干渉隣接セルＰＤＣＣＨの平均パワー・シフトＫＸ、Ｃｅｌｌ  ＲＳに対するＹタイプ同周波数干渉隣接セルＰＤＣＣＨの平均パワー・シフトＫＹを決定することと、
【数１】
2015512594.tif 000003
式（αはＹタイプ同周波数干渉隣接セルの制御チャネル領域に位置する全ての干渉源ＲＥにおけるＣｅｌｌ  ＲＳがＲＥに占める比率で、Ｎは付加的ホワイト・ノイズで、ＬｏａｄＣＣＨは干渉の強い隣接セルの制御チャネルの平均負荷で、ＫＣＣＥは異なる重合度の復調性能により調整する重合度補償因子である。）によりＳＩＮＲを決定することとを含むことが好ましい。
【００１１】
Ｃｅｌｌ  ＲＳに対するＸタイプ同周波数干渉隣接セルＰＤＣＣＨの平均パワー・シフトＫＸを決定することは、隣接セルＰＤＣＣＨパワー割当アルゴリズムにより半静的にＫＸを算出することを含み、Ｃｅｌｌ  ＲＳに対するＹタイプ同周波数干渉隣接セルＰＤＣＣＨの平均パワー・シフトＫＹを決定することは、隣接セルＰＤＣＣＨパワー割当アルゴリズムにより半静的にＫＹを算出することを含むことが好ましい。
【００１２】
ＳＩＮＲを決定する過程においてαの値を決定することは、隣接セルのアンテナ・ポート配置情報と物理制御フォーマット・インデックス・チャネル（ＰＣＦＩＣＨ）により指示された制御フォーマット・インデックス（ＣＦＩ）情報によりαの値を決定することを含むことが好ましい。
αの値は、
【数２】
2015512594.tif 000004
を含むことが好ましい。
【００１３】
ＳＩＮＲを決定する過程においてＬｏａｄＣＣＨの値を決定することは、隣接セルＰＤＣＣＨ負荷制御アルゴリズムによりＬｏａｄＣＣＨを決定することを含むことが好ましい。
報告情報によりターゲットＵＥの制御チャネル等価受信レベルＲＰＰＤＣＣＨを決定することは、
【数３】
2015512594.tif 000005
式（ＲＳＲＰＳはサービス・セルのＲＳＲＰ測定で、ＫＳはＣｅｌｌ  ＲＳに対するターゲットＵＥのＰＤＣＣＨの実際パワー・シフトで、ＫＣＣＥは異なる重合度の復調性能により調整する重合度補償因子である）により、決定することを含むことが好ましい。
【００１４】
Ｃｅｌｌ  ＲＳに対するターゲットＵＥのＰＤＣＣＨの実際パワー・シフトＫＳを決定することは、それぞれのＲＳＲＰ報告周期を観察ウィンドウとし、ターゲットＵＥに対応する下りスケジューリング・サブ・フレーム又は上がり許可サブ・フレームを取得することと、下りスケジューリング・サブ・フレーム又は上がり許可サブ・フレームによりＰＤＣＣＨパワー割当結果を取得し記録することと、ターゲットＵＥの重合度が観察ウィンドウにおいて変更があるか否かを判定し、変更がない場合、ＰＤＣＣＨパワー割当結果の平均値によりＫＳを算出し、変更がある場合、ターゲットＵＥの最終に更新された重合度の使用するパワーによりＫＳを算出することとを含む。
【００１５】
ＫＣＣＥの値を決定することは、各ＲＳＲＰ報告周期内にサービス・セルがターゲットＵＥへ割当てたＣＣＥ重合度が変更があるか否かを判定し、変更がある場合、最終に更新されたＣＣＥ重合度をＫＣＣＥとし、変更がない場合、サービス・セルの割当てたＣＣＥ重合度によりＫＣＣＥの値を決定することを含むことが好ましい。
ＫＣＣＥの値は、
【数４】
2015512594.tif 000006
を含むことが好ましい。
【００１６】
本発明のもう一つの方面によると、物理下りリンク制御チャネル（ＰＤＣＣＨ）品質予測を行う必要のあるターゲット・ユーザ装置（ＵＥ）を決定し、ターゲットＵＥの報告情報を受信する決定受信モジュールと、報告情報によりターゲットＵＥの予測指標を決定し、但し、前記予測指標が制御チャネルの信号対干渉及び雑音比（ＳＩＮＲ）又は制御チャネルの等価受信レベル（ＲＰＰＤＣＣＨ）である第１の決定モジュールと、ＳＩＮＲ又はＲＰＰＤＣＣＨによりターゲットＵＥのＰＤＣＣＨ品質を決定する第２の決定モジュールとを含むロング・ターム・エボリューション・システムの物理下りリンク制御チャネル品質の予測装置を提供する。
【００１７】
決定受信モジュールは、ターゲット・セルの中からターゲットＵＥをロックして、ターゲットＵＥが報告した、測定して得られた報告情報を受信するロック受信ユニットを含み、但し、前記報告情報が複数のセルの基準信号受信パワー（ＲＳＲＰ）を含むことが好ましい。
【００１８】
第１の決定モジュールは、複数セルのＲＳＲＰを、サービス・セルのＲＳＲＰ測定ＲＳＲＰＳと、セル基準信号（Ｃｅｌｌ  ＲＳ）が占めるリソース・エレメントＲＥのパターンがターゲット・セルと全く同様な同周波数干渉隣接セルであるＸタイプ同周波数干渉隣接セルのＲＳＲＰ測定ＲＳＲＰＸと、セル基準信号（Ｃｅｌｌ  ＲＳ）が占めるリソース・エレメントＲＥのパターンがターゲット・セルと全く異なる同周波数干渉隣接セルであるＹタイプ同周波数干渉隣接セルのＲＳＲＰ測定ＲＳＲＰＹとに区画する区画ユニットと、Ｃｅｌｌ  ＲＳに対するターゲットＵＥのＰＤＣＣＨの実際パワー・シフトＫＳ、Ｃｅｌｌ  ＲＳに対するＸタイプ同周波数干渉隣接セルＰＤＣＣＨの平均パワー・シフトＫＸ、Ｃｅｌｌ  ＲＳに対するＹタイプ同周波数干渉隣接セルＰＤＣＣＨの平均パワー・シフトＫＹを決定する第１の決定ユニットと、
【数５】
2015512594.tif 000007
式（αはＹタイプ同周波数干渉隣接セルの制御チャネル領域に位置する全ての干渉源ＲＥにおけるＣｅｌｌ  ＲＳがＲＥに占める比率で、Ｎは付加的ホワイト・ノイズで、ＬｏａｄＣＣＨは干渉の強い隣接セル制御チャネルの平均負荷で、ＫＣＣＥは異なる重合度の復調性能により調整する重合度補償因子である）によりＳＩＮＲを決定する第２の決定モジュールとを含むことが好ましい。
【００１９】
第１の決定モジュールは、
【数６】
2015512594.tif 000008
式（ＲＳＲＰＳはサービス・セルのＲＳＲＰ測定で、ＫＳはＣｅｌｌ  ＲＳに対するターゲットＵＥのＰＤＣＣＨの実際パワー・シフトで、ＫＣＣＥは異なる重合度の復調性能により調整する重合度補償因子である。）により、決定する第３の決定ユニットを含むことが好ましい。
【００２０】
本発明によると、制御チャネルの信号対雑音比ＳＩＮＲ又は制御チャネルの等価受信レベルＲＰＰＤＣＣＨにより物理下りリンク制御チャネルに対して品質予測を行う方法を採用し、既存のアルゴリズムにおいて正確で能率的な制御チャネル品質予測方法が提示されていない問題を解決し、基地局（ｅＮｏｄｅＢ）の制御チャネル・エレメント・リソース及びパワー割当アルゴリズムに高速で正確な位置決めの依拠を提供できるという効果が図られている。
【図面の簡単な説明】
【００２１】
ここで説明する図面は、本出願の一部分として本発明をさらに理解するために提供されるものであり、本発明の例示的な実施例及びその説明は本発明を解釈するもので、本発明に対する不適切な限定にならない。
【図１】既存技術に係る制御チャネルの隣接セル干渉パターンを示す図である。
【図２】本発明の実施例に係るロング・ターム・エボリューション・システムの物理下りリンク制御チャネル品質の予測方法のフローチャート図である。
【図３】本発明の好適な実施例に係るロング・ターム・エボリューション・システムの物理下りリンク制御チャネル品質予測のフローチャート図である。
【図４】本発明の実施例に係るロング・ターム・エボリューション・システムの物理下りリンク制御チャネル品質の予測装置の構造ブロック図である。
【図５】本発明のある好適な実施例に係るロング・ターム・エボリューション・システムの物理下りリンク制御チャネル品質の予測装置の構造ブロック図である。
【図６】本発明のもう一つの好適な実施例に係るロング・ターム・エボリューション・システムの物理下りリンク制御チャネル品質の予測装置の構造ブロック図である。
【図７】本発明のもう一つ好適な実施例に係るロング・ターム・エボリューション・システムの物理下りリンク制御チャネル品質の予測装置の構造ブロック図である。
【発明を実施するための形態】
【００２２】
以下、図面を参照しながら、実施例を結合して、本発明を詳しく説明する。なお、衝突がない場合、本出願の実施例及び実施例における特徴は互いに組み合わせることができる。
【００２３】
既存技術において、ＲＳＲＰの測定が、ＬＴＥマルチ・アンテナ技術（Ｍｕｌｔｉｐｌｅ  Ｉｎｐｕｔ  Ｍｕｌｔｉｐｌｅ  Ｏｕｔｐｕｔ、ＭＩＭＯと略称する。）の使用するアンテナ・ポート０（Ａｎｔｅｎｎａ  Ｐｏｒｔ０、ＡＰ０と略称する）、或いはＡＰ０、ＡＰ１におけるすべての基準信号を測定ソース集合とするが、プロトコルで規定した測定帯域幅内で、どのリソース・エレメント（Ｒｅｓｏｕｒｃｅ  Ｅｌｅｍｅｎｔ  ＲＥと略称する。）の基準信号（Ｃｅｌｌ  Ｒｅｆｅｒｅｎｃｅ  Ｓｉｇｎａｌ、Ｃｅｌｌ  ＲＳと略称する。）をＲＳＲＰ測定ポイントとするかは、ＵＥによって決定する。
【００２４】
図１は既存技術に係わる制御チャネルの隣接セル干渉パターンを示す図である。図１は、所定のサブ・フレームにおける２つの隣接セルＰＤＣＣＨなどのチャネル及び信号の物理ソースにおけるマッピング・パターンを示している。図１に示すように、Ｃｅｌｌ  ＲＳ物理リソース・マッピングが、セル番号に応じてずれるため、目標セルＰＤＣＣＨの干渉は、隣接セルの基準信号、ＰＤＣＣＨ又は空フレームから来る可能性がある。複雑な干渉状況によりチャネル予測の波動性が増加され、チャネル予測の正確性が低減されていた。従って、典型的なＰＤＣＣＨが非全負荷ロードで、ＰＤＳＣＨが全負荷ロード（又は制御チャネル、サービス・チャネルの負荷の不一致）である場合、仮に基地局（ｅＮｏｄｅＢ）がＰＤＣＣＨの負荷を予知している場合、ＵＥのターゲット・セル及び干渉の強い隣接セルのＲＳＲＰの測定により報告できる。
【００２５】
上記分析に基づき、本出願は、ＰＤＣＣＨチャネル品質を考慮して予測をし、主に、制御チャネル等価受信レベル（ＲＰＰＤＣＣＨ）又は制御チャネル信号対干渉及び雑音比（ＳＩＮＲ）という２種類の指標を提示している。
【００２６】
等価受信レベルＲＰＰＤＣＣＨは、サービス・セルの目標リンク性能のみを考慮し、ターゲットＵＥへ割り当てたＣＣＥ重合度が復調性能に対する影響も考慮する。
【数７】
2015512594.tif 000009
でチャネル品質を予測する。
【００２７】
制御チャネルの信号対干渉及び雑音比（ＳＩＮＲ）が、ＲＰＰＤＣＣＨに基づき隣接セルの干渉タイプ（Ｃｅｌｌ  ＲＳかそれともＰＤＣＣＨか）、隣接セル干渉パワーレベル、隣接セル干渉負荷レベルを細かくする。
【数８】
2015512594.tif 000010
でＰＤＣＣＨチャネル品質を予測する。
【００２８】
特に、ＳＩＮＲにより制御チャネル品質を予測するのは、隣接セル干渉、特にＣｅｌｌ  ＲＳ干渉がチャネル品質の評価に対する影響を十分考慮することができるという利点がある。
【００２９】
図２は本発明の実施例に係わるロング・ターム・エボリューション・システムにおける物理下りリンク制御チャネル品質の予測方法のフローチャート図である。図２に示すように、当該方法は以下のようなステップ（ステップＳ２０２〜ステップＳ２０６）を含む。
【００３０】
ステップＳ２０２において、物理下りリンク制御チャネル（ＰＤＣＣＨ）の品質予測を行う必要のあるターゲット・ユーザ装置（ＵＥ）を決定し、ターゲットＵＥの報告情報を受信する。
【００３１】
ステップＳ２０４において、報告情報によりターゲットＵＥの予測指標を決定し、但し、前記予測指標が制御チャネルの信号対干渉及び雑音比（ＳＩＮＲ）又は制御チャネルの等価受信レベル（ＲＰＰＤＣＣＨ）である。
【００３２】
ステップＳ２０６において、ＳＩＮＲ又はＲＰＰＤＣＣＨによりターゲットＵＥのＰＤＣＣＨ品質を決定する。
【００３３】
本実施例において、物理下りリンク制御チャネル（ＰＤＣＣＨ）の品質予測を行う必要のあるターゲット・ユーザ装置（ＵＥ）を決定し、ターゲットＵＥの報告情報を受信することは、ターゲット・セルの中からターゲットＵＥをロックし、ターゲットＵＥが報告した、測定して得られた報告情報を受信し、但し、報告情報が複数のセルの基準信号受信パワー（ＲＳＲＰ）を含むことによって行われる。
本実施例において、複数のセルの基準信号受信パワー（ＲＳＲＰ）を取得してから、ターゲットＵＥの制御チャネル信号対干渉騒音比（ＳＩＮＲ）を決定することができる。まず、複数セルのＲＳＲＰを、サービス・セルのＲＳＲＰ測定ＲＳＲＰＳと、セル基準信号（Ｃｅｌｌ  ＲＳ）が占めるリソース・エレメントＲＥのパターンがターゲット・セルと全く同様な同周波数干渉隣接セルであるＸタイプ同周波数干渉隣接セルのＲＳＲＰ測定ＲＳＲＰＸと、セル基準信号（Ｃｅｌｌ  ＲＳ）が占めるリソース・エレメントＲＥのパターンがターゲット・セルと全く異なる同周波数干渉隣接セルであるＹタイプ同周波数干渉隣接セルのＲＳＲＰ測定ＲＳＲＰＹとに区画する。そして、Ｃｅｌｌ  ＲＳに対するターゲットＵＥのＰＤＣＣＨの実際パワー・シフトＫＳ、Ｃｅｌｌ  ＲＳに対するＸタイプ同周波数干渉隣接セルＰＤＣＣＨの平均パワー・シフトＫＸ、Ｃｅｌｌ  ＲＳに対するＹタイプ同周波数干渉隣接セルＰＤＣＣＨの平均パワー・シフトＫＹを決定する。そして、
【数９】
2015512594.tif 000011
（αはＹタイプ同周波数干渉隣接セルの制御チャネル領域に位置する全ての干渉源ＲＥにおけるＣｅｌｌ  ＲＳがＲＥに占める比率で、Ｎは付加的ホワイト・ノイズで、ＬｏａｄＣＣＨは強い干渉隣接セル制御チャネルの平均負荷で、ＫＣＣＥは重合度の復調性能により調整する重合度補償因子である）によりＳＩＮＲを決定する。
【００３４】
実際の応用において、ＳＩＮＲを決定する式における各パラメータを決定することができる。例えば、（１）Ｃｅｌｌ  ＲＳに対するＸタイプ同周波数干渉隣接セルＰＤＣＣＨの平均パワー・シフトＫＸを決定するとき、隣接セルＰＤＣＣＨパワー割当アルゴリズムにより半静的に計算し；（２）Ｃｅｌｌ  ＲＳに対するＹタイプ同周波数干渉隣接セルＰＤＣＣＨの平均パワー・シフトＫＹを決定するとき、隣接セルＰＤＣＣＨパワー割当アルゴリズムにより半静的計算する、という方法により決定することができる。
【００３５】
実際の応用において、ＳＩＮＲを決定する過程において、αの値も決定する必要があるが、隣接セルのアンテナ・ポート配置情報と物理制御フォーマット・インデックス・チャネル（ＰＣＦＩＣＨ）が指示される制御フォーマット・インデックス（ＣＦＩ）情報によりαの値を決定することができる。αの値は以下のものが含まれる。
【数１０】
2015512594.tif 000012
【００３６】
実際の応用において、ＬｏａｄＣＣＨの値を決定するとき、隣接セルＰＤＣＣＨ負荷制御アルゴリズムによりＬｏａｄＣＣＨを決定することができる。
【００３７】
本実施例において、複数のセルの基準信号受信パワーＲＳＲＰを取得してから、ターゲットＵＥの制御チャネル等価受信レベルの方式を決定することができる。
【数１１】
2015512594.tif 000013
（ＲＳＲＰＳはサービス・セルのＲＳＲＰ測定で、ＫＳはターゲットＵＥのＰＤＣＣＨがＣｅｌｌ  ＲＳに対する実際パワー・シフトで、ＫＣＣＥは異なる重合度の復調性能により調整する重合度補償因子である。）により決定することができる。
【００３８】
上記ターゲットＵＥの制御チャネルの信号対干渉騒音比（ＳＩＮＲ）又は制御チャネル等価受信レベルを決定する過程において、ＫＳの値を下記の方法によって決定できる。即ち、各ＲＳＲＰが報告した周期を観察ウィンドウとし、ターゲットＵＥに対応する下りスケジューリング・サブ・フレーム又は上がり許可サブ・フレームを取得し；下りスケジューリング・サブ・フレーム又は上がり許可サブ・フレームによりＰＤＣＣＨパワー割当結果を取得し記録し；ターゲットＵＥの重合度が観察ウィンドウにおいて変更があるか否かを判定し、変更がない場合、ＰＤＣＣＨパワー割当結果の平均値によりＫＳを算出し、変更がある場合、ターゲットＵＥの最終に更新された重合度の使用するパワーによりＫＳを算出する。
【００３９】
上記ターゲットＵＥの制御チャネルの信号対干渉騒音比（ＳＩＮＲ）又は制御チャネル等価受信レベルＲＰＰＤＣＣＨを決定する過程において、ＫＣＣＥの値を下記の方法によって決定できる。即ち、各ＲＳＲＰ報告周期内にサービス・セルがターゲットＵＥへ割当てたＣＣＥ重合度が変更があるか否かを判定し、変更がある場合、最終に更新されたＣＣＥ重合度をＫＣＣＥとし、変更がない場合、サービス・セルの割当てたＣＣＥ重合度をＫＣＣＥとする。ＫＣＣＥの取りうる値は、
【数１２】
2015512594.tif 000014
が含まれても良い。
【００４０】
各パラメータ（ＫＣＣＥ、ＬｏａｄＣＣＨ、α、ＫＸ、ＫＹ、ＫＳを含む）が決定されてから、ターゲットＵＥの制御チャネルの信号対干渉騒音比（ＳＩＮＲ）又は制御チャネル等価受信レベルを決定することができる。
【００４１】
本発明のもう一つの好適な実施形態において、下記のような方式により、上記ロング・ターム・エボリューション・システムの物理下りリンク制御チャネル品質の予測方法を実現することができる。
【００４２】
例えば、制御チャネルの品質を予測すべきターゲット・セルのｅＮｏｄｅを例として、実施形態を詳しく説明し、他のセルも同様な方法を採用することができる。
【００４３】
（１）ターゲット・セルの中から制御チャネルの品質を予測すべきターゲットＵＥをロックし、ターゲットＵＥにより報告した複数のセル基準信号の受信パワー（ＲＳＲＰ）を測定し、複数のＲＳＲＰをＲＳＲＰＳ、ＲＳＲＰＸ及びＲＳＲＰＹに区画する。
【００４４】
（２）一つのＲＳＲＰ報告周期を観察ウィンドウとして、当該ＵＥの下りスケジューリング・サブ・フレーム又は上がり許可サブ・フレームを取得し、当該ＵＥのＰＤＣＣＨパワー割当結果を記録する。Ｃｅｌｌ  ＲＳパワーは静的なものとみなされる。当該ＵＥが観察ウィンドウで重合度の変更がない場合、ＫＳを計算するとき、割当てられた複数のＰＤＣＣＨパワーの平均値を求めてＫＳを決定する依拠とすることができる一方、当該ＵＥが観察ウィンドウで重合度の変化がある場合、ＵＥの最終の重合度の用いるＰＤＣＣＨパワーを、ＫＳを決定する依拠とする。
【００４５】
（３）隣接セルのＰＤＣＣＨパワー割当アルゴリズムにより、干渉隣接セルＰＤＣＣＨが隣接セルＣｅｌｌ  ＲＳに対する平均パワー・シフトを算出する。ここで、前記干渉隣接セルはＸ、Ｙタイプの干渉隣接セルを含むため、ＰＤＣＣＨパワー割当アルゴリズムにより半静的にパラメータＫＸ、ＫＹを計算することができる。
【００４６】
（４）隣接セルアンテナ・ポート配置と物理制御フォーマット・インデックス情報（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨと略称する。）に指示される制御フォーマット情報（Ｃｏｎｔｒｏｌ  Ｆｏｒｍａｔ  Ｉｎｆｏｒｍａｔｉｏｎ、ＣＦＩと略称する）により、動的にαを選択する。ただし、通常の場合、ネットワーク全体の基地局側のアンテナ・ポートの数が一定で、ＣＦＩも静的に配置されたものであり、この時のαも静的なものである。
【００４７】
（５）隣接セルＰＤＣＣＨのＣＣＥリソース割当アルゴリズム（上記ＰＤＣＣＨ負荷制御アルゴリズム）により、干渉の強い隣接セルの制御チャネルの平均負荷ＬｏａｄＣＣＨを決定する。通常の単一層ネットワーク（純粋なマクロ局ネットワーク）において、全てのセルが同様なＰＤＣＣＨ負荷制御アルゴリズムを利用できるため、ＬｏａｄＣＣＨも静的なものとみなされる。異種ネットワークにおいて、マクロ局のほかに、低パワー・ノード（Ｌｏｗ  Ｐｏｗｅｒ  Ｎｏｄｅ、ＬＰＮと略称する）がさらにあり、ＬｏａｄＣＣＨは、干渉の強い隣接セルのＰＤＣＣＨ負荷により平均値の計算をしてから取得できる。ここで、前記干渉の強い隣接セルのＰＤＣＣＨ負荷は履歴ＲＳＲＰデータにより決定することができる。
【００４８】
（６）重合度補償因子ＫＣＣＥは、ＲＳＲＰ報告周期内にサービス・セルがターゲットＵＥへ割当てたＰＤＣＣＨ重合度により決定するが、報告周期内にサービス・セルがターゲットＵＥへ割当てたＣＣＥ重合度は変更がある場合、チャネル品質を予測するために、最新のＣＣＥ重合度に従い補償因子ＫＣＣＥを決定し、報告周期内にサービス・セルがターゲットＵＥへ割当てたＣＣＥ重合度は変更がある場合、サービス・セルがターゲットＵＥへ割当てたＣＣＥ重合度に従い補償因子ＫＣＣＥを決定する。
【００４９】
（７）（非強制的に）チャネル品質予測指標ＳＩＮＲは、ターゲットＵＥに適するＣＣＥ重合度及びパワーレベルを、迅速に位置決め、または他のアルゴリズムを補助して位置決めすることができる。
【００５０】
以下、具体的な実施例を結合して、上記ロング・ターム・エボリューション・システムの物理下りリンク制御チャネルの品質を予測する方法を詳しく説明する。
【００５１】
本実施例において、ＴＤ−ＬＴＥネットワーキングにおける常用なパラメータを本実施例で使うパラメータにする。
【００５２】
基地局は、１０ＭＨｚ下りシステム帯域幅、ＣＦＩ＝３、２アンテナ・ポート、単一層ネットワーキング、ネットワーク全体が同様なＰＤＣＣＨパワー割当アルゴリズム（ＰＤＣＣＨが位置するＯＦＤＭ符号は常に全パワーで送信する。）を使用し、ネットワーク全体が同様なＰＤＣＣＨリソース割当アルゴリズム（負荷が９０％とする）を使用することとする。
【００５３】
ターゲットＵＥ側は、ＲＳＲＰ報告周期内に、２ＣＣＥを使用し、且つ重合度は変更しないとする。
【００５４】
これらの仮説に基づき、図３をご参考ください。図３は、本発明の好適な実施例に係わるロング・ターム・エボリューション・システムの物理下りリンク制御チャネルの品質予測のフローチャート図である。図３に示すように、本好適な実施例の提供するＰＤＣＣＨチャネル品質予測方法は以下のようなステップを含む。
【００５５】
ステップＳ３０２において、一回の完全なＲＳＲＰ測定報告により、ＲＳＲＰＳ、ＲＳＲＰＸ、及びＲＳＲＰＹに区画する。
【００５６】
ステップＳ３０４において、重合度が変更しないため、観察ウィンドウ内に割当て、記録したＰＤＣＣＨパワー結果から算出した平均値により、ＫＳを算出し、Ｃｅｌｌ  ＲＳパワーはＲＲＣシグナリングから取得する。
【００５７】
ステップＳ３０６において、単一層ネットワーキングで、且つネットワーク全体は同様御なＰＤＣＣＨパワー割当アルゴリズムを使用するため、ＫＸとＫＹとが同様である。ＯＦＤＭが全パワーで送信するため、ＫＸとＫＹとはＣｅｌｌ  ＲＳパワーと基地局側の送信合計パワーのみにより決定される。
【００５８】
ステップＳ３０８において、基地局側のアンテナ・ポート数とＣＦＩにより、テーブルを探して得るαの値は０．１２５である。
【００５９】
ステップＳ３１０において、ネットワーク全体が同様なＰＤＣＣＨリソース割当アルゴリズムを使用するため、全てのセルの制御チャネルの負荷が同様で、いずれも９０％であり、この場合、ＬｏａｄＣＣＨ＝０．９。
【００６０】
ステップＳ３１２において、現在ＲＳＲＰ報告周期内に、ＵＥがすべて２ＣＣＥを使用し、且つ重合度は変更がないため、ＫＣＣＥ＝ｄＢ２Ｌｉｎｅａｒ（０）。
【００６１】
ステップＳ３１４において、算出したターゲットＵＥの予測指標ＳＩＮＲが同セルの他のユーザより明らかに高い場合、ターゲットＵＥのＳＩＮＲをサービス・セルにより割当てられたＣＣＥパワー（ＣＣＥ重合度）に迅速に低減する。
【００６２】
上記実施例に係わるロング・ターム・エボリューション・システムの物理下りリンク制御チャネル品質の予測方法を採用すると、測定とシグナリングを増加せずに、ＬＴＥユーザにより正確で、能率的な制御チャネル品質予測を提供し、基地局（ｅＮｏｄｅＢ）の制御チャネル・エレメント（ＣＣＥ）リソース及びパワー割当アルゴリズムに迅速で、正確な位置決めの依拠を提供できる。
【００６３】
図４は本発明の実施例に係わるロング・ターム・エボリューション・システムの物理下りリンク制御チャネル品質の予測装置の構造ブロック図であり、当該装置は、上記実施例に係わるロング・ターム・エボリューション・システムの物理下りリンク制御チャネル品質の予測方法を実現するものである。図４に示すように、当該装置は、主に決定受信モジュール１０と、第１の決定モジュール２０と、第２の決定モジュール３０とを含む。決定受信モジュール１０は、物理下りリンク制御チャネル（ＰＤＣＣＨ）の品質予測を行う必要のあるターゲット・ユーザ装置（ＵＥ）を決定し、ターゲットＵＥの報告情報を受信するように構成される。第１の決定モジュール２０は、決定受信モジュール１０に接続し、報告情報によりターゲットＵＥの測定指標を決定し、但し、前記測定指標が制御チャネルの信号対干渉及び雑音比（ＳＩＮＲ）又は制御チャネル等価受信レベルＲＰＰＤＣＣＨであるように構成される。第２の決定モジュール３０は、第１の決定モジュール２０に接続し、ＳＩＮＲとＲＰＰＤＣＣＨによりターゲットＵＥのＰＤＣＣＨ品質を決定するように構成される。
【００６４】
図５は、本発明の好適な実施例に係わるロング・ターム・エボリューション・システムの物理下りリンク制御チャネル品質の予測装置のブロック図である。図５に示すように、当該装置の決定受信モジュール１０は、ターゲット・セルの中からターゲットＵＥをロックし、ターゲットＵＥが報告した、測定して得られた報告情報を受信するロック受信モジュール１２を含むことができる。前記報告情報は、複数のセルの基準信号受信パワー（ＲＳＲＰ）を含む。
【００６５】
図６は本発明のもう一つの好適な実施例に係わるロング・ターム・エボリューション・システムの物理下りリンク制御チャネル品質の予測装置の構造ブロック図である。図６に示すように、第１の決定モジュール２０は、複数のセルのＲＳＲＰを、サービス・セルのＲＳＲＰ測定ＲＳＲＰｓと、セル基準信号（Ｃｅｌｌ  ＲＳ）が占めるリソース・エレメントＲＥのパターンがターゲット・セルと全く同様な同周波数干渉隣接セルであるＸタイプ同周波数干渉隣接セルのＲＳＲＰ測定ＲＳＲＰＸと、セル基準信号（Ｃｅｌｌ  ＲＳ）が占めるリソース・エレメントＲＥのパターンがターゲット・セルと全く異なる同周波数干渉隣接セルであるＹタイプ同周波数干渉隣接セルのＲＳＲＰ測定ＲＳＲＰＹとに区画する区画ユニット２２と、区画ユニット２２に接続し、Ｃｅｌｌ  ＲＳに対するターゲットＵＥのＰＤＣＣＨの実際パワー・シフトＫＳ、Ｃｅｌｌ  ＲＳに対するＸタイプ同周波数干渉隣接セルＰＤＣＣＨの平均パワー・シフトＫＸ、Ｃｅｌｌ  ＲＳに対するＹタイプ同周波数干渉隣接セルＰＤＣＣＨの平均パワー・シフトＫＹを決定する第１の決定ユニット２４と、第１の決定ユニット２４に接続し、
【数１３】
2015512594.tif 000015
（αはＹタイプ同周波数干渉隣接セルの制御チャネル領域に位置する全ての干渉源ＲＥにおけるＣｅｌｌ  ＲＳがＲＥに占める比率で、Ｎは付加的ホワイト・ノイズで、ＬｏａｄＣＣＨは強い干渉隣接セル制御チャネルの平均負荷で、ＫＣＣＥは重合度の復調性能により調整する重合度補償因子である）によりＳＩＮＲを決定する第２決定ユニット２４とを含む。
【００６６】
図７は本発明のもう一つの好適な実施例に係わるロング・ターム・エボリューション・システムの物理下りリンク制御チャネル品質の測定装置の構造ブロック図である。図７に示すように、第１の決定モジュール２０は、
【数１４】
2015512594.tif 000016
（ＲＳＲＰＳはサービス・セルのＲＳＲＰ測定で、ＫＳはターゲットＵＥのＰＤＣＣＨがＣｅｌｌ  ＲＳに対する実際パワー・シフトで、ＫＣＣＥは異なる重合度の復調性能により調整する重合度補償因子である）によりＲＳＲＰＳを決定する第３の決定ユニット２８とを含む。
【００６７】
上記実施例に係わるロング・ターム・エボリューションの物理下りリンク制御チャネル品質の予測方法を採用すると、測定とシグナリングを増加せずに、ＬＴＥユーザにより正確で、能率的な制御チャネル品質予測を提供し、基地局（ｅＮｏｄｅＢ）の制御チャネル・エレメント（ＣＣＥ）・リソース及びパワー割当アルゴリズムに迅速で、正確的な位置決めの依拠を提供することができる。
【００６８】
上記記載によると、本発明は、制御チャネルの信号対干渉及び雑音比ＳＩＮＲ又は制御チャネル等価受信レベルＲＰＰＤＣＣＨにより、物理下りリンク制御チャネルの品質を予測する方法を採用することは、関係プロトコルにおいて、正確で、能率的な制御チャネル品質予測方法が提供されていないことを解決し、測定やシグナリングを増加せずに、ＬＴＥユーザに正確で、能率的な制御チャネル品質予測を提供し、基地局（ｅＮｏｄｅＢ）の制御チャネル・エレメント（ＣＣＥ）・リソース及びパワー割当アルゴリズムに迅速で、正確な位置決めの依拠を提供することができる。
【００６９】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。また、ここでの手順と異なる手順により示された又は記載されたステップを実行することができる、或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【００７０】
上記説明は本発明の好適な実施例に過ぎず、本発明を制限するものではない。当業者であれば、本発明の様々な変更や変形が可能である。本発明の精神や原則を逸脱しないいずれの変更、置換、改良なども本発明の保護範囲内に含まれる。
【図１】
2015512594.tif 000023
【図２】
2015512594.tif 000024
【図３】
2015512594.tif 000025
【図４】
2015512594.tif 000026
【図５】
2015512594.tif 000027
【図６】
2015512594.tif 000028
【図７】
2015512594.tif 000029
【国際調査報告】
2015512594.tif 000030
2015512594.tif 000031
2015512594.tif 000032
2015512594.tif 000033